(57)【特許請求の範囲】
【請求項１】
引き戸レールに設けられた被捕捉部材と、引き戸に取り付けられて前記引き戸と共に開閉方向へ移動する捕捉引込機構とを備え、
前記捕捉引込機構は、
平面視において前記引き戸の板厚方向および前記引き戸の開閉方向へ略水平に移動可能に構成され、前記被捕捉部材を捕捉しているときに開閉方向への移動が可能であり、捕捉していないときに前記引き戸の板厚方向に移動して開閉方向への移動が制限される捕捉部材と、
前記捕捉部材を戸閉側或いは戸開側へ引き込むばね部材と、
前記ばね部材が前記捕捉部材を戸閉側或いは戸開側へ引き込む力を緩衝する緩衝部材とを備え、
前記被捕捉部材には、前記捕捉部材を前記引き戸の板厚方向へ誘導し、前記捕捉部材によって捕捉されるための捕捉部が形成されていることを特徴とする開閉体緩衝装置。
【請求項２】
前記捕捉部材は、前記被捕捉部材側に向かって突出する捕捉突起であり、前記捕捉部は、前記捕捉突起が入り込み、前記捕捉突起を誘導および捕捉するための捕捉溝であることを特徴とする請求項１に記載の開閉体緩衝装置。
【請求項３】
前記捕捉引込機構には、前記捕捉突起が挿通され、前記捕捉突起が開閉方向へ移動するための引き込み用長穴と、前記捕捉突起が前記引き戸の板厚方向へ移動すると共に開閉方向への移動を制限するためのロック用長穴とが設けられていることを特徴とする請求項２に記載の開閉体緩衝装置。
【請求項４】
前記捕捉引込機構には、前記被捕捉部材側に向かって突出する案内突起が設けられ、前記被捕捉部材には、前記案内突起が入り込み、前記捕捉部材が前記引き戸の板厚方向へ誘導されるときに、前記案内突起の前記引き戸の板厚方向の両側を規制する案内溝が設けられていることを特徴とする請求項１から請求項３のいずれか１つに記載の開閉体緩衝装置。
【発明の詳細な説明】
【技術分野】
【０００１】
本発明は、引き戸などの開閉体を、開き際に強制的に緩やかに開かせる一方、閉じ際に強制的に緩やかに閉じさせることができる開閉体緩衝装置に関する。
【背景技術】
【０００２】
従来の開閉体緩衝装置は、例えば、建屋の引き戸レール側に取り付けられ、この引き戸レールの開側および閉側の両方にそれぞれ配設された２つの被捕捉部材と、引き戸側に取り付けられ、被捕捉部材を捕捉して引き戸を開方向または閉方向へ引き込むための捕捉引込機構とで構成されている。この引き戸側の捕捉引込機構は、建屋側の引き戸レールの内部に収容されて、引き戸レールに沿って開閉方向へスライド移動できるように組み付けられている。また、捕捉引込機構は、引き戸レールの長手方向であって、引き戸の開閉方向に延在しており、その開側および閉側のそれぞれの端部には、開側または閉側の被捕捉部材を捕捉するための捕捉部材が設けられている。
【０００３】
これらの開側および閉側の捕捉部材は、捕捉引込機構の内部で開閉方向にそれぞれスライド移動できるようになっている。また、開側および閉側の捕捉部材は、ばねによって連結されて互いに引き合うようになっており、捕捉部材が被捕捉部材を捕捉したときに、このばね力によって引き戸を戸閉方向或いは戸開方向に引き込むようになる。
【０００４】
例えば、特許文献１に記載の開閉体緩衝装置において、閉側の捕捉部材は、閉側の被捕捉部材を捕捉するためのものである。この捕捉前の状態（捕捉が解除された状態）では、閉側の捕捉部材は、捕捉引込機構の本体部（ケーシング）にロック（係止）されており、開閉方向へ移動できないようになっている。このロックされた状態から、引き戸が所定の位置まで閉じられると、閉側の被捕捉部材と閉側の捕捉部材とが当接して、捕捉部材が上下方向に回動する。このとき、捕捉部材と本体部とのロックが解除されて捕捉部材が開閉方向へ移動できるようになると共に、閉側の捕捉部材が閉側の被捕捉部材を捕捉するようになる。
【０００５】
また、開側の捕捉部材は、閉側の捕捉部材と同様の構成・機能を有する。すなわち、引き戸が所定の位置まで開かれると、開側の捕捉部材が上下方向に回動し、ロックが解除されて捕捉部材が開閉方向へ移動できるようになると共に、開側の捕捉部材が開側の被捕捉部材を捕捉するようになる。
【０００６】
また、特許文献２に記載の開閉体緩衝装置では、開側および閉側の捕捉部材のそれぞれが、特許文献１のように上下方向に回動する代わりに、上下方向にスライド移動して被捕捉部材をそれぞれ捕捉するようになっている。
【先行技術文献】
【特許文献】
【０００７】
【特許文献１】特開２００９−１２７２９３号公報
【特許文献２】特開２０１３−１７０４１５号公報
【発明の概要】
【発明が解決しようとする課題】
【０００８】
開閉体緩衝装置が設けられる引き戸レールは、通常の引き戸レールと比較して、捕捉引込機構を収容する分だけ上下方向の寸法が長くなる。人が出入りするような大きな引き戸装置ではこの上下方向の長さ分がそれほど目立たないが、特に、家具や食器棚などの比較的に小型でインテリア性が求められるものの場合には、この長さ分が目立ち分厚く感じられることがある。そのため、家具や食器棚全体の意匠性が損なわれてしまうおそれがあった。
【０００９】
本発明は、上述した事情を鑑みてなされたものであり、その目的は、捕捉引込機構の上下方向の寸法を小さくすることができる開閉体緩衝装置を提供するためのものである。
【課題を解決するための手段】
【００１０】
上述課題を解決するため、本発明は、引き戸レールに設けられた被捕捉部材と、引き戸に取り付けられて前記引き戸と共に開閉方向へ移動する捕捉引込機構とを備え、前記捕捉引込機構は、平面視において前記引き戸の板厚方向および前記引き戸の開閉方向へ略水平に移動可能に構成され、前記被捕捉部材を捕捉しているときに開閉方向への移動が可能であり、捕捉していないときに前記引き戸の板厚方向に移動して開閉方向への移動が制限される捕捉部材と、前記捕捉部材を戸閉側或いは戸開側へ引き込むばね部材と、前記ばね部材が前記捕捉部材を戸閉側或いは戸開側へ引き込む力を緩衝する緩衝部材とを備え、前記被捕捉部材には、前記捕捉部材を前記引き戸の板厚方向へ誘導し、前記捕捉部材によって捕捉されるための捕捉部が形成されていることを特徴とする。
【００１３】
また、前記捕捉部材は、前記被捕捉部材側に向かって突出する捕捉突起であり、前記捕捉部は、前記捕捉突起が入り込み、前記捕捉突起を誘導および捕捉するための捕捉溝であってもよい。
【００１４】
さらに、前記捕捉引込機構には、前記捕捉突起が挿通され、前記捕捉突起が開閉方向へ移動するための引き込み用長穴と、前記捕捉突起が前記引き戸の板厚方向へ移動すると共に開閉方向への移動を制限するためのロック用長穴とが設けられていてもよい。
【００１５】
さらにまた、前記捕捉引込機構には、前記被捕捉部材側に向かって突出する案内突起が設けられ、前記被捕捉部材には、前記案内突起が入り込み、前記捕捉部材が前記引き戸の板厚方向へ誘導されるときに、前記案内突起の前記引き戸の板厚方向の両側を規制する案内溝が設けられていてもよい。
【発明の効果】
【００１６】
本発明に係る開閉体緩衝装置では、捕捉引込機構が、平面視において前記引き戸の板厚方向および前記引き戸の開閉方向へ略水平に移動可能に構成され、前記被捕捉部材を捕捉しているときに開閉方向への移動が可能であり、捕捉していないときに前記引き戸の板厚方向に移動して開閉方向への移動が制限される捕捉部材を備えているので、捕捉部材を引き戸の板厚方向に略水平に移動させることで開閉方向への移動を制限し、捕捉部材の上下方向への移動を必要としない。そのため、従来技術のように、捕捉部材を上下方向に移動させるスペースを削減することができるので、捕捉引込機構の上下方向の寸法を小さくすることができるとともに、捕捉引込機構を収容する引き戸レールの上下方向の寸法を小さくすることができる。その結果、家具や食器棚全体の意匠性が損なわれることがない。
【図面の簡単な説明】
【００１７】
【図１】本発明に係る開閉体緩衝装置を備えた引き戸装置を戸裏側から見た背面図であって、引き戸が閉じた状態と開いた状態の中間に位置する状態を示したものである。
【図２】（Ａ）は、図１の状態から引き戸を閉じた状態、（Ｂ）は引き戸を開いた状態を示したものである。
【図３】開閉体緩衝装置の概要を示す斜視図である。
【図４】被捕捉部材の斜視図である。
【図５】（Ａ）は被捕捉部材の正面図、（Ｂ）はその底面図である。
【図６】図１のＣ１−Ｃ１断面図であって、被捕捉部材を引き戸レールに取り付けた状態を示す。
【図７】捕捉引込機構を上側から見た斜視図である。
【図８】図７の分解斜視図である。
【図９】戸開側のガイドローラー部分を拡大したものであり、外側ケースを省略して示したものである。
【図１０】図１のＣ２−Ｃ２断面図であって、引き戸レールの内部に捕捉引込機構をスライド可能に収容した状態を示す。
【図１１】捕捉引込機構の戸閉側部分の拡大平面図であって、（Ａ）は捕捉引込機構がロックされている状態、（Ｂ）はロックが解除された状態である。
【図１２】捕捉引込機構の戸閉側部分の拡大平面図であって、捕捉引込機構が被捕捉部材を捕捉して戸閉側に引き込んだ状態である。
【図１３】捕捉引込機構の全体斜視図であって、戸開側の捕捉引込機構がロックされた状態を示す斜視図である。
【図１４】図１３の状態から、捕捉引込機構が被捕捉部材を捕捉して戸開側に引き込んだ状態を示す斜視図である。
【発明を実施するための最良の形態】
【００１８】
以下、本発明の実施の形態に係る開閉体緩衝装置Ｋについて、図面を用いて詳細に説明する。なお、本実施の形態では、開閉体緩衝装置Ｋを引き戸装置、特に、家具や食器棚などの比較的に小型でインテリア性が求められるものに用いられる引き戸装置Ｈに使用したものについて説明する。
【００１９】
図１は、本発明に係る開閉体緩衝装置Ｋを備えた引き戸装置Ｈを戸裏側から見た背面図であって、引き戸１が閉じた状態と開いた状態のほぼ中間に位置する状態を示す。また、図２（Ａ）は、図１の状態から引き戸１を戸閉側へ移動させて、引き戸１が完全に閉じた状態を示したものであり、図２（Ｂ）は、図１の状態から引き戸１を戸開側へ移動させて、引き戸１が完全に開いた状態を示したものである。さらに、図３は、引き戸レール内に組み付けられた被捕捉部材１０と捕捉引込機構２０の概要を示す斜視図であって、説明を容易にするために引き戸レール２を省略して描いたものである。
【００２０】
なお、以下の説明で使用する方向において、戸閉側とは、図１の紙面左側をいうものとし、戸開側とは図１の紙面右側をいうものとする。また、上下方向とは、図１の紙面上下方向をいうものとする。さらに、引き戸１の板厚方向、幅方向とは、図１の紙面奥行き方向をいう。また、戸表側とは、図１の紙面奥側をいい、戸裏側とは図１の紙面手前側のことをいうものとする。
【００２１】
また、本明細書中で使用する「閉じ際」とは、捕捉引込機構２０が閉側の被捕捉部材１０を捕捉した位置から引き戸が完全に閉じた位置まで移動するまでの間をいう。その逆に、「開き際」とは、捕捉引込機構２０が開側の被捕捉部材１０を捕捉する位置から引き戸が完全に開いた状態になるまでの間をいうものとする。
【００２２】
図１および図２（Ａ）、図２（Ｂ）に示す引き戸装置Ｈは、例えば食器棚などの筐体３の正面の開口部３ａに設けられたものである。この開口部３ａの上側には、開閉方向（図１の紙面左右方向）の全長に亘って延びる引き戸レール２が取り付けられている。この引き戸レール２は、利用者側から見て、その手前側の全体が見えるようになっている。この引き戸レール２の下側には、引き戸１が取り付けられている。
【００２３】
引き戸１は、開閉方向にスライド移動することで、開口部３ａを開閉する。なお、図１および図２では、説明を容易にするために１枚の引き戸１のみを示しているが、引き戸１の紙面奥側或いは手前側にも同様に引き戸が取り付けられており、この２枚の引き戸を開閉することで開口部３ａが開閉される。以下の説明では、この１枚の引き戸１を用いて説明していく。
【００２４】
引き戸装置Ｈに設けられた開閉体緩衝装置Ｋは、図１および図２に示すように、引き戸レール２の戸閉側および戸開側に設けられた２つの被捕捉部材１０、１０と、引き戸１側に設けられた捕捉引込機構２０とによって構成されている。
【００２５】
なお、引き戸１は、吊り下げ装置Ｔを介して捕捉引込機構２０に吊り下げられる態様で取り付けられる。この捕捉引込機構２０には、ガイドローラー９１（図３参照）が設けられており、このガイドローラー９１が引き戸レール２に沿って開閉方向に転動することで、引き戸１がスムーズに開閉するようになっている。
【００２６】
また、吊り下げ装置Ｔは、図１および図２に示すように、引き戸１の戸閉側および戸開側のそれぞれの上端に設けられており、戸閉側の吊り下げ装置Ｔに捕捉引込機構２０が取り付けられている。戸開側の吊り下げ装置Ｔには、捕捉引込機構２０とは別体のガイドローラー装置５が取り付けられており、このガイドローラー装置５のガイドローラーが引き戸レール２に沿って転動するようになっている。
【００２７】
捕捉引込機構２０は、図１の状態から引き戸１を閉じるときに、戸閉側の被捕捉部材１０の位置まで移動すると、この被捕捉部材１０を捕捉する。そして、引き戸１を戸閉方向に引き込んで、引き戸１が完全に閉じた状態まで緩やかに移動させる（図２（Ａ）に示す状態）。これにより、閉じ際に引き戸１が半開きになっていても、開閉体緩衝装置Ｋによって引き戸１を完全に閉じた状態まで移動させることができる。
【００２８】
同様に、捕捉引込機構２０は、図１の状態から引き戸を開くときに、戸開側の被捕捉部材１０の位置まで移動すると、この被捕捉部材１０を捕捉する。そして、引き戸１を戸開方向に引き込んで、引き戸１が完全に開いた状態まで緩やかに移動させる（図２（Ｂ）に示す状態）。
【００２９】
図４は、被捕捉部材１０を単体で斜め下側から見た斜視図である。この図４では、説明を容易にするために、被捕捉部材１０が取り付けられる上下方向の向きを逆にして示してある。また、図５（Ａ）は、被捕捉部材の正面図であり、図５（Ｂ）は、その底面図である。さらに、図６は、図１のＣ１−Ｃ１断面図であって、引き戸レール２に被捕捉部材１０を取り付けた状態を示すものである。
【００３０】
戸開側および戸閉側の２つの被捕捉部材１０は同一のものであり、戸閉側および戸開側とで開閉方向における向きを逆にして取り付けられる。より詳細には、被捕捉部材１０の切欠き部１１ａ（詳細は後述する）が引き戸レール２の中央側に向くようにして、２つの被捕捉部材１０がそれぞれ取り付けられる。
【００３１】
被捕捉部材１０は、平面視で開閉方向に長尺な本体部１１を有しており、この本体部１１の下面には、２つの案内突起１３および捕捉溝１５が形成されている。また、矩形状に形成された本体部１１の１つの角部には、図４および図５（Ｂ）に示すように、切欠き部１１ａが形成されている。また、本体部１１の上面１１ｂは、図６に示すように、引き戸レール２の上側凹部２ｃの上面に接するようにして組み付けられる。
【００３２】
また、本体部１１の中央部には、上下方向に貫通する取付穴１２が形成されている。この取付穴１２には、取付ねじ（図示せず）が下側から挿通され、この取付ねじを介して引き戸レール２に取り付けられる（図６参照）。
【００３３】
２つの案内突起１３は、取付穴１２を挟んで切欠き部１１ａと反対側に設けられており、本体部１１の下面から下側に突出する態様で形成されている。また、２つの案内突起１３は、開閉方向に沿って延在し、幅方向に間隔を空けて並べて設けられている。これにより、２つの案内突起１３の間には、開閉方向に沿って延びる案内溝１３ａが構成される。この案内溝１３ａには、詳細は後述する捕捉引込機構２０の案内突起９０ａ、９０ｂ（或いは９５ａ）が入り込み、開閉方向に直線的に案内されるようになる。
【００３４】
捕捉溝１５は、取付穴１２よりも切欠き部１１ａ側に設けられており、本体部１１の底面を凹ませることで形成されている。この捕捉溝１５は、第１捕捉溝１５ａと第２捕捉溝１５ｂとで構成されている。この捕捉溝１５は、詳細は後述する捕捉引込機構２０の捕捉突起８２（或いは８７）が入り込み、走行ラインＴＬ１に沿って移動する捕捉突起８２を走行ラインＴＬ２へ移動させるためのものである（図５（Ｂ）および図１１（Ａ）参照）。
【００３５】
第１捕捉溝１５ａは、図５（Ｂ）に示すよう、切欠き部１１ａから取付穴１２に向かって走行ラインＴＬ１に沿って延びており、その後端部から走行ラインＴＬ２まで斜めに延びている。また、第２捕捉溝１５ｂは、切欠き部１１ａから幅方向へ走行ラインＴＬ２まで延びている。なお、走行ラインＴＬ１、ＴＬ２についての詳細な説明は後述する。
【００３６】
また、本体部１１の開閉方向における両端部には、それぞれ傾斜面１４ａ、１４ｂが形成されている。
【００３７】
図７は、捕捉引込機構２０を斜め上側から見た斜視図であり、図８は、図７の分解斜視図である。また、図９は、図７の戸開側のガイドローラー部分を拡大したものであり、外側ケース３０を省略して示したものであり、図１０は、図１のＣ２−Ｃ２断面図であって、引き戸レール２の内部に捕捉引込機構２０をスライド可能に収容した状態を示すものである。
【００３８】
捕捉引込機構２０は、図７に示すように、開閉方向に長尺に形成されており、図１０に示すように、引き戸レール２の内部にスライド可能に組み付けられる程度の大きさを有している。すなわち、引き戸レール２の大きさは、この捕捉引込機構２０の大きさに基づいて決定されるようになる。
【００３９】
捕捉引込機構２０は、図７および図８に示すように、捕捉引込機構２０の外郭を構成する外側ケース３０と、この外側ケース３０の下側に組み付けられる第１スライドケース４０および第２スライドケース５０と、捕捉引込機構２０の内部に設けられたダンパー６０、引張ばね７０、移動ブロック８０、８５と、捕捉引込機構２０の開閉方向の両端に設けられた第１ガイドローラー部９０および第２ガイドローラー９５とを備えている。
【００４０】
外側ケース３０は、図８に示すように、開閉方向に延びており、捕捉引込機構２０の長手方向のほぼ全体を覆っている。この外側ケース３０の断面形状は、下側が開口する断面コ字形状に形成されており、上側を構成する上面部３１と、この上面部３１の幅方向の両端部からそれぞれ下側に延びる側面部３２とを有している。また、それぞれの側面部３２の下端には、内側に向けて折り返された折り曲げ部３５、３５が形成されている。
【００４１】
側面部３２には、戸開側および戸閉側に取付穴３２ａがそれぞれ形成されている。この取付穴３２ａは、幅方向に対向する両側の側面部３２を貫通する態様で形成されている。この取付穴３２ａは、詳細は後述する第１ガイドローラー部９０および第２ガイドローラー部９５を外側ケース３０に取り付けるためのものである。
【００４２】
上面部３１には、戸閉側および戸開側のそれぞれに、捕捉突起移動長穴３３、３４が形成されている。この捕捉突起移動長穴３３、３４は、平面視における上面部３１の中心点Ｐ（幅方向および開閉方向の中心線の交点。図８参照）を中心に点対称になるように形成さている。
【００４３】
戸閉側の捕捉突起移動長穴３３は、引き込み用長穴３３ａと、ロック用長穴３３ｂと、取付用長穴３３ｃとで構成されている。それぞれの長穴３３ａ、３３ｂ、３３ｃの幅寸法は、詳細は後述する捕捉突起８２の直径よりも若干広く形成されており、捕捉突起８２がこの捕捉突起移動長穴３３に沿って移動できるようになっている。
【００４４】
取付用長穴３３ｃは、図７および図８に示すように、上面部３１の戸閉側の端部から戸開側に向かって延びている。また、取付用長穴３３ｃは、上面部３１の幅方向の中心線ＣＬ（図１１（Ａ）参照）よりも幅方向にずれた位置に設けられており、走行ラインＴＬ１（図１１（Ａ）参照）上に位置する。
なお、本明細書で、走行ラインＴＬ１とは、戸閉側の引き込み用長穴３３ａ内で捕捉突起８２がスライド移動するときの移動軌跡を示す線およびその延長線である。また、走行ラインＴＬ２とは、戸開側の引き込み用長穴３４ａ内で捕捉突起８７がスライド移動するときの移動軌跡を示す線およびその延長線である。
【００４５】
ロック用長穴３３ｂは、取付用長穴３３ｃの戸開側の先端から、幅方向（走行ラインＴＬ１と略直交する方向）に向かって延びている。このロック用長穴３３ｂは、中心線ＣＬを挟んで幅方向で対称に形成されており、走行ラインＴＬ１から走行ラインＴＬ２（図１１（Ａ）参照）まで延在している。なお、ロック用長穴３３ｂは、詳細は後述する捕捉突起８２、８７がロックされる長さ（捕捉突起８２、８７の直径以上の長さ）に形成されていればよく、中心線ＣＬを挟んで幅方向で対称でなくてもよい。同様に、取付用長穴３３ａは、必ずしも走行ラインＴＬ１上に位置していなくてもよい。
【００４６】
引き込み用長穴３３ａは、ロック用長穴３３ｂの走行ラインＴＬ２側の端部から、開閉方向に沿って戸開側に向かって延びている。また、この引き込み用長穴３３ａは、走行ラインＴＬ２上に位置する。
【００４７】
同様に、戸開側の捕捉突起移動長穴３４は、引き込み用長穴３４ａと、ロック用長穴３４ｂと、取付用長穴３４ｃとで構成されている。ただし、捕捉突起移動長穴３４は、上述したように捕捉突起移動長穴３３と点対称に構成されているので、取付用長穴３４ａは、走行ラインＴＬ２上に位置し、引き込み用長穴３４ａは、走行ラインＴＬ１上に位置する。なお、ロック用長穴３４ｂは、詳細は後述する捕捉突起８２、８７がロックされる長さ（捕捉突起８２、８７の直径以上の長さ）に形成されていればよいので、取付用長穴３４ａは、必ずしも走行ラインＴＬ２上に位置していなくてもよい。
【００４８】
第１スライドケース４０は、図８に示すように、全体的に直方体形状に形成されており、
捕捉引込機構２０の戸開側の下側部分を構成している。この第１スライドケース４０には、戸開側に配置された移動ブロック収容部４１と、戸閉側に配置された２つのばね受け部４２、４２およびダンパー受け部４３とが設けられている。
【００４９】
移動ブロック収容部４１は、上面が開口する箱形状に形成されており、詳細は後述する移動ブロック８５が内部に収容されるようになっている。この移動ブロック収容部４１の開閉方向の寸法は、移動ブロック８５の開閉方向の寸法よりも若干広く形成されている。また、移動ブロック収容部４１の幅方向の寸法は、移動ブロック８５の幅方向の寸法よりも広く形成されている。そのため、移動ブロック８５は、この移動ブロック収容部４１の内部に収容された状態で、幅方向に自由にスライド移動できるようになる。
【００５０】
第２スライドケース５０は、図８に示すように、捕捉引込機構２０の戸閉側および中央部の下側部分を構成している。第２スライドケース５０の戸閉側の部分は、上述した第１スライドケース４０とほぼ同じ構造に形成されており、戸閉側に配置された移動ブロック収容部５１と、戸開側に配置された２つのばね受け部５２、５２とが設けられている。また、第２スライドケース５０の戸開側には、図８に示すように、ダンパー本体収容部５３が形成されている。さらに、ダンパー本体収容部５３の戸開側には、詳細は後述するダンパー６０が取り付けられた状態で、その出力軸６２を通すための切欠き部５４が形成されている。
【００５１】
移動ブロック収容部５１は、移動ブロック収容部４１と同様に、上面が開口する箱形状に形成されており、詳細は後述する移動ブロック８０が内部に収容されるようになっている。この移動ブロック収容部５１の開閉方向の寸法は、移動ブロック８０の開閉方向の寸法よりも若干広く形成されている。また、移動ブロック収容部５１の幅方向の寸法は、移動ブロック８０の幅方向の寸法よりも広く形成されている。そのため、移動ブロック８０は、この移動ブロック収容部５１の内部に収容された状態で、幅方向に自由にスライド移動できるようになる。
【００５２】
ダンパー６０は、開閉方向に延びる出力軸６２と、この出力軸６２を軸方向に進退自在に保持している略円柱状のダンパー本体６１とを有している。ダンパー本体６１内には、出力軸６２の縮長方向（開閉方向）への移動に制動力を作用させるオイルなどの抵抗流体が収容されている。
【００５３】
また、出力軸６２の先端部には、径方向に窪みを設けたくびれ部６３が形成されている。このくびれ部６３は、図９に示すように、第１スライドケース４０のダンパー受け部４３に嵌め込む態様で組み付けられ、第１スライドケース４０とダンパー６０とが開閉方向で固定されるようになる。また、ダンパー本体６１は、第２スライドケース５０のダンパー本体収容部５３に組み付けられる。このダンパー６０の平面視における開閉方向の中心線（図示せず）は、捕捉引込機構２０の中心線ＣＬ（図１１（Ａ）参照）とほぼ一致している。
【００５４】
引張ばね７０は、開閉方向に延在し、その両端部にくびれ部７１がそれぞれ形成されている。戸開側に位置するくびれ部７１は、図９に示すように、第１スライドケース４０のばね受け部４２に嵌め込む態様で組み付けられる。一方、戸閉側に位置するくびれ部７１は、同様に、第２スライドケース５０のばね受け部５２に嵌め込む態様で組み付けられる。
【００５５】
このように、第１スライドケース４０と第２スライドケース５０は、ダンパー６０および２本の引張ばね７０とで開閉方向に連結される。また、２本の引張ばね７０は、常に引張力が作用する態様で組み付けられており、第１スライドケース４０および第２スライドケース５０が引き合う方向（引張ばね７０が圧縮する方向）に付勢力が付与されるようになっている。
【００５６】
また、２本の引張ばね７０は、図９に示すように、幅方向に略平行に並設されている。また、この２本の引張ばね７０の平面視における開閉方向の中心線（図示せず）は、走行ラインＴＬ１、ＴＬ２（図１１（Ａ）参照）とほぼ一致するように配置されている。なお、２本の引張ばね７０の中心線は、走行ラインＴＬ１、ＴＬ２とほぼ平行であれば、多少ずれて配置していてもかまわない。
【００５７】
移動ブロック８０、８５は、略直方体形状に形成されており、平面視における中央に挿通穴８１、８６が形成されている。移動ブロック８０は、上述した戸閉側の移動ブロック収容部５１内に組み込まれ、移動ブロック８５は、戸開側の移動ブロック収容部４１内に組み込まれる。また、挿通穴８１、８６は、移動ブロック８０の下面から上面まで貫通している。この挿通穴８１、８６には、その下側から捕捉突起８２、８７がそれぞれ挿通される。
【００５８】
捕捉突起８２、８７が挿通された状態では、図９に示すように、移動ブロック８０、８５の上面よりも突出する。より詳細には、捕捉突起８２、８７は、図７に示すように外側ケース３０内に組み付けられた状態で、外側ケース３０の捕捉突起移動長穴３３、３４よりも上側に突出するようになる。
【００５９】
第１ガイドローラー部９０は、捕捉引込機構２０の戸閉側の端部に設けられており、４つのガイドローラー９１が回転軸９１ａを介して回転自在に組み付けられている。また、第１ガイドローラー部９０には、平面視において４つのガイドローラー９１の中央部であって、その中央部から下方向に突出する吊り下げ軸９２が設けられている。この吊り下げ軸９２には、引き戸１側に取り付けられた吊り下げ装置Ｔが組み付けられ、この吊り下げ軸９２で引き戸１を懸架するようになっている。
【００６０】
また、第１ガイドローラー部９０の上面には、上方向に突出する案内突起９０ａ、９０ｂが形成されている。この案内突起９０ａ、９０ｂは、捕捉引込機構２０が引き戸レール２に沿ってスライド移動して被捕捉部材１０の位置に到達したときに、被捕捉部材１０の案内溝１３ａ内に入り込み、幅方向の位置が規制されるようになる。
【００６１】
また、第１ガイドローラー部９０には、戸開方向に突出する接続部９３が設けられている。この接続部９３の外形状は、外側ケース３０の内側の形状に合わせて形成されており、この接続部９３が外側ケース３０の戸閉側の開口部３０ａに勘合する態様で組み付けられる。また、接続部９３には、幅方向に貫通する貫通穴９４が形成されている。この貫通穴９４には、外側ケース３０の取付穴３２ａと位置合わせされた後に、取付ピン１００が挿入される。
【００６２】
第２ガイドローラー部９５は、捕捉引込機構２０の戸開側の端部に設けられており、２つのガイドローラー９１が回転軸９１ａを介して回転自在に組み付けられている。また、第２ガイドローラー部９５の上面には、上方向に突出する案内突起９５ａが形成されており、上述した案内突起９０ａ、９０ｂと同様に、被捕捉部材１０の案内溝１３ａ内に入り込み、幅方向の位置が規制されるようになる。
【００６３】
また、第２ガイドローラー部９５には、戸開方向に突出する接続部９６が設けられている。この接続部９６の外形状は、外側ケース３０の内側の形状に合わせて形成されており、この接続部９６が外側ケース３０の戸閉側の開口部３０ｂに勘合する態様で組み付けられる。また、接続部９６には、幅方向に貫通する貫通穴９７が形成されている。この貫通穴９７には、外側ケース３０の取付穴３２ａと位置合わせされた後に、取付ピン１００が挿入される。
【００６４】
捕捉引込機構２０の組立手順を説明すると、まず最初に、第１スライドケース４０および第２スライドケース５０にダンパー６０、２本の引張ばね７０、７０をそれぞれ組み付けた後に、外側ケース３０の戸開側或いは戸閉側の開口部からスライドさせて内部に挿入する。このとき、第１スライドケース４０および第２スライドケース５０の底部は、外側ケース３０の折り曲げ部３５によって下側から支持されており、外側ケース３０の内部で開閉方向に自由にスライドさせることができる。
【００６５】
次に、外側ケース３０の戸開方向の開口部３０ｂから移動ブロック収容部４１を外側に引き出して、移動ブロック８５および捕捉突起８７を取り付ける。そして、捕捉突起８７を取付用長穴３４ｃおよびロック用長穴３４ｂに沿って移動させて、引き込み用長穴３４ａの位置まで移動ブロック収容部４１を戻す。
次に、引張ばね７０の圧縮力に抗して、外側ケース３０の戸閉側の開口部３０ａから移動ブロック収容部５１を外側に引き出し、移動ブロック８０および捕捉突起８２を取り付ける。そして、捕捉突起８２を取付用長穴３３ｃおよびロック用長穴３３ｂに沿って移動させて、引き込み用長穴３３ａの位置まで移動ブロック収容部５１を戻す。
【００６６】
その後、外側ケース３０のそれぞれの端部に第１ガイドローラー部９０および第２ガイドローラー部９５を取付ピン１００を介して取り付ける。これにより、捕捉引込機構２０が図７で示す状態に組み立てられる。
【００６７】
このように組み立てられた捕捉引込機構２０は、図１０に示すように、引き戸レール２の内部に収容される。ここで、引き戸レール２の形状について説明すると、引き戸レール２は、下側が開口する断面略コ字形状に形成されている。詳細には、引き戸レール２の幅方向の両側に設けられた側面部２ａと、この側面部２ａの上側を繋ぐ上面部２ｂとで構成されており、この上面部２ｂには、上側に向かって窪んだ上側凹部２ｃが形成されている。この上側凹部２ｃの内部には、図６に示すように、被捕捉部材１０が取り付けられている。
【００６８】
また、側面部２ａのそれぞれの下端には、内側に向かって突出しており、かつ、その上面が円弧状に突出している円弧状レール２ｅが形成されている。一方、円弧状レール２ｅの上側を転動しながら走行するガイドローラー９１は、図１０に示すように、その内側部９１ｂの直径が外側部９１ｃの直径よりも大きく形成されており、内側部９１ｂと外側部９１ｃを繋ぐ転動面９１ｄが緩やかな円弧状に形成されている。また、この転動面９１ｄの円弧の半径は、円弧状レール２ｅの円弧の半径よりも大きくなっている。これにより、円弧状レール２ｅの円弧状の突部と転動面９１ｄとの接触面積が小さくなり、ガイドローラー９１の走行時の接触音（走行音）を小さくすることができる。また、捕捉引込機構２０に横方向の力が作用したとしても、円弧状レール２ｅの円弧状の突部が円弧状の転動面９１ｄといずれかの面で接触するようになるので、横方向の振れを小さく抑えることができる。
【００６９】
次に、本発明の実施の形態に係る開閉体緩衝装置Ｋの作用・動作について説明する。
図１１は、捕捉引込機構の戸閉側部分の拡大平面図であって、（Ａ）は捕捉引込機構がロックされている状態、（Ｂ）はロックが解除された状態である。また、図１２は、捕捉引込機構が被捕捉部材を捕捉して戸閉側に引き込んだ状態である。さらに、図１３は、捕捉引込機構の全体斜視図であって、戸開側の捕捉引込機構がロックされた状態を示す斜視図、図１４は、図１３の状態から、捕捉引込機構が被捕捉部材を捕捉して戸開側に引き込んだ状態を示す斜視図である。
【００７０】
引き戸１が図１の状態（閉じた状態と開いた状態の中間に位置する状態）のときには、図１３に示すように、捕捉引込機構２０のそれぞれの捕捉突起８２、８７は、ロック用長穴３３ｂ、３４ｂ内に位置している。この状態では、捕捉突起８２、８７は、引張ばね７０の付勢力（圧縮力）で互いに引き合っているが、捕捉突起８２、８７がロック用長穴３３ｂ、３４ｂの縁部と当接しているので、この位置でロックされている。
【００７１】
次に、引き戸１を図１の状態から図２（Ａ）の状態（引き戸１が完全に閉じた状態）に移動させると、開閉体緩衝装置Ｋの戸閉側の部分が動作する（戸開側は動作しない）。詳細には、図１１（Ａ）（図１３の拡大図）に示すように、捕捉突起８２が走行ラインＴＬ１上に位置する状態で、捕捉突起８２が被捕捉部材１０の位置まで移動する。そして、捕捉突起８２は、被捕捉部材１０の第１捕捉溝１５ａ内に入り込む。それと同時に、捕捉引込機構２０の案内突起９０ａ、９０ｂも、被捕捉部材１０の案内溝１３ａ内に入り込む。
【００７２】
この状態から引き戸１をさらに戸閉側に移動させると、捕捉突起８２は、第１捕捉溝１５ａに案内されて、走行ラインＴＬ１からＴＬ２へと移動し、被捕捉部材１０を捕捉する。また、これと同時に、捕捉突起８２は、図１１（Ｂ）に示すように、ロック用長穴３３ｂに沿ってＹ１方向へ移動する。このＹ１方向への移動は、引き戸１の板厚方向へ略水平に移動するものであり、上下方向への移動は伴わない。さらに、これらと同時に、捕捉引込機構２０の案内突起９０ａ、９０ｂも、被捕捉部材１０の案内溝１３ａに沿って開閉方向へと移動する。
【００７３】
なお、上述した「略水平に移動する」とは、厳密に水平に移動することを意味するものではなく、ある程度の角度の誤差を含む程度の意味である。本実施例では、「捕捉引込機構２０の上下方向の寸法が小さくできる程度に略水平に移動する」程度の意味である。
【００７４】
また、捕捉突起８２がＹ１方向へと移動することによって、捕捉引込機構２０に引き戸１の板厚方向に振動が発生する。しかしながら、案内突起９０ａ、９０ｂの引き戸１の板厚方向の両側は、案内溝１３ａ（案内突起１３）によって板厚方向の位置が規制されているので、この振動を最小限に抑えるようになる。また、振動に伴う異音の発生を最小限に抑えることができる。
【００７５】
図１１（Ｂ）で示す状態に捕捉突起８２が移動すると、捕捉突起８２は引張ばね７０の付勢力で戸開側へと引っ張られる。そして、図１２に示すように、捕捉突起８２は、引き込み用長穴３３ａに沿って開閉方向（Ｙ２方向）へと移動する。このとき、捕捉突起８２は被捕捉部材１０を捕捉しているので、捕捉突起８２は被捕捉部材１０の位置で止まっており、相対的に引き戸１が引張ばね７０の付勢力によって戸閉側に引き込まれるように移動する。また、ダンパー６０が引張ばね７０の付勢力を緩衝するように作用することで、引き戸１が勢いよく閉じることを防止する。
【００７６】
また、これらとは逆に、図２（Ａ）の状態から図１の状態まで引き戸１を開くときには、上述した動作と逆の動作で開くことになる。より詳細には、利用者は、引張ばね７０の付勢力に抗して捕捉突起８２をロック用長穴３３ｂの位置に到達するまで引き戸１を開くと、捕捉突起８２が被捕捉部材１０を捕捉しない状態になる。このとき、捕捉突起８２は、第１捕捉溝１５ａに沿って走行ラインＴＬ２からＴＬ１まで移動し、図１２の状態から図１１（Ａ）の状態まで戻るようになる。
【００７７】
一方、引き戸１を図１の状態から図２（Ｂ）の状態（引き戸１が完全に開いた状態）に移動させると、開閉体緩衝装置Ｋの戸開側の部分が動作する（戸閉側は動作しない）。なお、戸開側の動作は、戸閉側の動作と同じである。すなわち、図１４に示すように、捕捉突起８７は、被捕捉部材１０の第１捕捉溝１５ａに案内されてロック用長穴３４ｂに沿ってＸ１方向へ移動し、さらに引き込み用長穴３４ａに沿って開閉方向（Ｘ２方向）へ移動する。これにより、相対的に引き戸１が引張ばね７０の付勢力によって戸開側に引き込まれるように移動することになる。また、捕捉引込機構２０の案内突起９５ａも、被捕捉部材１０の案内溝１３ａ内に入り込み、幅方向の振動および発生音を低減する。
なお、他の作用・動作も戸閉側の作用・動作と同じであるため、その詳細な説明は省略する。
【００７８】
なお、引き戸１を勢いよく開閉した場合に、捕捉突起８２、８７が第１捕捉溝１５ａ内から逸脱し、捕捉できない場合がある。そのため、図４および図５（Ｂ）に示すように、被捕捉部材１０の開閉側の両端部には、傾斜面１４ａ、１４ｂが設けられている。すなわち、逸脱した状態から引き戸１を開閉方向へ移動させることで、捕捉突起８２、８７をこの傾斜面１４ａ、１４ｂから乗り越えさせ、正規の位置に戻すようにしている。
【００７９】
また、第２捕捉溝１５ｂは、逸脱した状態から戻したときに、捕捉突起８２、８７が被捕捉部材１０を捕捉するためのものである。また、捕捉突起８２、８７をより確実に捕捉するための予備としても機能する。
【００８０】
本発明の実施の形態に係る開閉体緩衝装置によれば、引き戸レール２に設けられた被捕捉部材１０と、引き戸１に取り付けられて引き戸１と共に開閉方向へ移動可能に構成され捕捉引込機構２０とを備え、捕捉引込機構２０は、平面視において引き戸１の板厚方向および引き戸１の開閉方向へ略水平に移動可能に構成され、被捕捉部材１０を捕捉しているときに開閉方向への移動が可能であり、捕捉していないときに引き戸１の板厚方向に移動して開閉方向への移動が制限される捕捉突起８２、８７と、捕捉突起８２、８７を戸閉側或いは戸開側へ引き込む引張ばね７０と、引張ばね７０が捕捉突起８２、８７を戸閉側或いは戸開側へ引き込む力を緩衝するダンパー６０とを備えているので、捕捉突起８２、８７を引き戸１の板厚方向に略水平に移動させることで開閉方向への移動を制限し、捕捉突起８２、８７の上下方向への移動を必要としない。そのため、従来技術のように、捕捉部材を上下方向に移動させるスペースを削減することができるので、捕捉引込機構２０の上下方向の寸法を小さくすることができる。
【００８１】
また、被捕捉部材１０が引き戸レール２の戸閉側および戸開側のそれぞれに設けられるとともに、捕捉引込機構２０の戸閉側および戸開側のそれぞれに捕捉突起８２、８７が設けられ、戸閉側の捕捉突起８２と戸開側の捕捉突起８７とを引張ばね７０およびダンパー６０で互いに連結しているので、１つの開閉体緩衝装置Ｋによって、引き戸１の閉じ際および開き際の両方で開閉体緩衝装置Ｋが動作して、引き戸１を完全に閉じた状態或いは開いた状態にすることができる。そのため、戸閉側および戸開側にそれぞれ専用の開閉体緩衝装置を設ける必要がない。
【００８２】
さらに、被捕捉部材１０には、捕捉突起８２、８７を引き戸１の板厚方向へ誘導し、捕捉突起８２、８７によって捕捉されるための捕捉溝１５が形成されているので、捕捉突起８２、８７を引き戸１の板厚方向へ容易に移動させることができるとともに、捕捉突起８２、８７で被捕捉部材１０を捕捉できるようになる。また、これらの機能を簡単な構造で実現することができる。
【００８３】
また、捕捉引込機構２０には、捕捉突起８２、８７が挿通され、捕捉突起８２、８７が開閉方向へ移動するための引き込み用長穴３３ａ、３４ａと、捕捉突起８２、８７が引き戸１の板厚方向へ移動すると共に開閉方向への移動を制限するためのロック用長穴３３ｂ、３４ｂとが設けられているので、捕捉突起８２、８７をロック用長穴３３ｂ、３４ｂの分だけ略水平に移動させるだけで開閉方向への移動を制限することができる。そのため、板厚方向における移動量をできるだけ小さく抑えることで、捕捉引込機構２０の板厚方向の長さを小さくすることができる。その結果、引き戸レール２の幅方向（引き戸１の板厚方向）の寸法を小さくすることができる。
【００８４】
特に、引き戸レール２は、捕捉引込機構２０を収容する分だけ幅方向の寸法が大きくなるが、この幅寸法が大きくなると、引き戸の板厚方向に２枚の引き戸を並べて設けるような場合に、引き戸同士の間に必要以上の隙間が生じてしまう。また、引き戸の厚みを薄くするデザインが困難になり、意匠の自由度が制限されてしまう。そのため、引き戸レール２の幅方向の寸法も小さく抑えることが好ましい。
【００８５】
さらにまた、捕捉引込機構２０には、被捕捉部材１０側に向かって突出する案内突起９０ａ、９０ｂ、９５ａが設けられ、被捕捉部材１０には、案内突起９０ａ、９０ｂ、９５ａが入り込み、捕捉突起８２、８７が引き戸１の板厚方向へ誘導されるときに、案内突起９０ａ、９０ｂ、９５ａの引き戸１の板厚方向の両側を規制する案内溝１３ａが設けられているので、捕捉突起８２、８７が板厚方向へ移動するときの板厚方向への振動を抑えることができる。また、この振動に起因する音の発生を防止することができる。
【００８６】
以上、本発明の実施の形態に係る開閉体緩衝装置について述べたが、本発明は既述の実施形態に限定されるものではなく、本発明の技術思想に基づいて各種の変形および変更が可能である。
【００８７】
例えば、本実施の形態では、引き戸１の閉じ際および開き際の両方で開閉体緩衝装置Ｋが動作して、引き戸１を完全に閉じた状態或いは開いた状態にできるようにしているが、閉じ際或いは開き際のいずれか一方のみで動作するようにしてもよい。この場合、開閉体緩衝装置Ｋのいずれか一方の構造・機能を削除して新たな開閉体緩衝装置を構成することができる。または、本実施の形態で説明した開閉体緩衝装置Ｋのいずれか一方の機能を使用しないようにすることもできる。
【００８８】
また、本実施の形態では、捕捉引込機構２０の捕捉部材として捕捉突起８２、８７を用い、被捕捉部材１０の捕捉溝１５に入り込むことで捕捉するようにしているが、他の構造であっても構わない。例えば、捕捉突起８２、８７および捕捉溝１５を互いに係合する係止爪（或いは係止穴）で構成することもできる。このとき、係止爪が係合しているときには、捕捉部材側の係合爪が開閉方向においてロックされ、引き戸１の幅方向へ略水平に移動させるときにこの係合が解除されるようにする。このように構成することで、ロック用長穴３３ｃ、３４ｃを不要にすることもできる。
【符号の説明】
【００８９】
１  引き戸（開閉体）
２  引き戸レール
２ａ  側面部
２ｂ  上面部
２ｃ  上側凹部
２ｅ  円弧状レール部
Ｋ  開閉体緩衝装置
１０  被捕捉部材
１１  平板部
１１ａ  切欠き部
１２  取付穴
１３  案内突起
１３ａ  案内溝
１４ａ、１４ｂ  傾斜面
１５  捕捉溝（捕捉部）
１５ａ  第１捕捉溝
１５ｂ  第２捕捉溝
２０  捕捉引込機構
３０  外側ケース
３１  上面部
３２  側面部
３２ａ  取付穴
３３、３４  捕捉突起移動長穴
３３ａ、３４ａ  引き込み用長穴
３３ｂ、３４ｂ  ロック用長穴
３３ｃ、３４ｃ  取付用長穴
３５  折り曲げ部
４０  第１スライドケース
４１  移動ブロック収容部
４２  ばね受け部
４３  ダンパー受け部
５０  第２スライドケース
５１  移動ブロック収容部
５２  ばね受け部
５３  ダンパー本体収容部
６０  ダンパー（緩衝部材）
６１  ダンパー本体
６２  ダンパー出力軸
６３  くびれ部
７０  引張ばね（ばね部材）
７１  くびれ部
８０、８５  移動ブロック
８１、８６  挿通穴
８２、８７  捕捉突起（捕捉部材）
９０  第１ガイドローラー部
９０ａ、９０ｂ  案内突起
９１  ガイドローラー
９１ａ  回転軸
９１ｂ  ガイドローラー内側部
９１ｃ  ガイドローラー外側部
９１ｄ  ガイドローラーの転動面
９２  吊り下げ軸
９３  接続部
９４  貫通穴
９５  第２ガイドローラー部
９５ａ  案内突起
９６  接続部
９７  貫通穴
１００  取付ピン
ＣＬ  捕捉引込機構（上面部）の幅方向の中心線
Ｈ  引き戸装置
Ｐ  中心点
Ｔ  吊り下げ装置
ＴＬ１、ＴＬ２  捕捉突起の走行ライン
Ｘ１、Ｙ１  ロック解除方向
Ｘ２、Ｙ２  捕捉引込方向
【図１】
0005918308.tif 000002
【図２】
0005918308.tif 000003
【図３】
0005918308.tif 000004
【図４】
0005918308.tif 000005
【図５】
0005918308.tif 000006
【図６】
0005918308.tif 000007
【図７】
0005918308.tif 000008
【図８】
0005918308.tif 000009
【図９】
0005918308.tif 000010
【図１０】
0005918308.tif 000011
【図１１】
0005918308.tif 000012
【図１２】
0005918308.tif 000013
【図１３】
0005918308.tif 000014
【図１４】
0005918308.tif 000015